(57)【要約】【課題】ミスト発生器のコストを決定しているミスト発生ノズルの個数を減らすことによりミスト発生器のコストを低減でき、しかもコンパクトで意匠性のよいミスト発生器を得ることができるミスト発生ノズルを提供する。【解決手段】噴霧することでミストを発生するミスト発生ノズルＡである。これにおいて、粒径の細かいミストを発生する細ミスト発生部２と粒径の粗いミストを発生する粗ミスト発生部３とを１つのノズル本体１に一体に設け、前記細ミスト発生部２で発生する細ミストは上方向に、前記粗ミスト発生部３で発生する粗ミストは下方向にミストを噴霧するようにする。【選択図】        図１
2004267873.tif 000002
【特許請求の範囲】
【請求項１】
噴霧することでミストを発生するミスト発生ノズルにおいて、粒径の細かいミストを発生する細ミスト発生部と粒径の粗いミストを発生する粗ミスト発生部とを１つのノズル本体に一体に設け、前記細ミスト発生部で発生する細ミストは上方向に、前記粗ミスト発生部で発生する粗ミストは下方向に噴霧するようにしたことを特徴とするミスト発生ノズル。
【請求項２】
前記細ミスト発生部で発生する細ミストの発生量が前記粗ミスト発生部で発生する粗ミストの発生量より多くなるように設定したことを特徴とする請求項１記載のミスト発生ノズル。
【請求項３】
前記細ミスト発生部のミストを噴霧する有効面積を前記粗ミスト発生部のミストを噴霧する有効面積より広くすることで細ミストの発生量が粗ミストの発生量より多くなるようにしたことを特徴とする請求項２記載のミスト発生ノズル。
【請求項４】
多数の微細孔を穿孔した噴霧板にて前記細ミスト発生部と前記粗ミスト発生部とを構成し、この噴霧板をノズル本体の上下に取り付けたことを特徴とする請求項１乃至請求項３のいずれかに記載のミスト発生ノズル。
【請求項５】
前記ノズル本体内の流路を上下に分岐し、上に分岐した分岐流路を細ミスト発生部に連通させると共に下に分岐した分岐流路を粗ミスト発生部に連通させたことを特徴とする請求項１乃至請求項４のいずれかに記載のミスト発生ノズル。
【発明の詳細な説明】
【０００１】
【発明の属する技術分野】
本発明は、ミストサウナ浴するためにミストを発生するミスト発生器に用いるミスト発生ノズルの構造に関するものである。
【０００２】
【従来の技術】
ミストサウナ浴をするためには、サウナ室または家庭用であれば浴室に湯を噴射して霧状に発生させるようになっている。このミストを発生するミスト発生器の形態は、１）ミストを体にかけて温熱感を与えるものや、２）ミストを壁や床に当てて室内全体にサウナ状にするものや、３）両方の効果を併せたものがある。
【０００３】
ところで、家庭での給湯温度は４５℃から６０℃が使用されるのが一般的であり、ミスト発生ノズルを通すと、低温化したミストとなるため、家庭で短時間に温熱感を得るためには、２）の形態より、１）形態の方が簡易に温熱感を得やすい。しかしながら、体に直接ミストを当てるには、ミストは細かい方が体感が良好であるが、ミストの温度が低下して温熱感が得られにくい。
【０００４】
この問題を解決するものとして、従来、足元へ吹き出すミストの粗さより、そうでない方向に吹き出すミストの粗さを細かくしたミスト発生器（例えば、特許文献１参照）が提供されている。
【０００５】
【特許文献１】
特開平１０−１８５２２３号公報
【０００６】
【発明が解決しようとする課題】
ところで、このようなミスト発生器では、ミスト発生ノズルが最もコストのかかる部品であり、それによりより機器のコストが決まってしまうといってもよい部品である。ところが、上記従来例のものではミストの粗さを変化させるためには、それぞれの粗さでミストを噴霧するミスト発生ノズルが必要である。つまり、細かいミストを発生するミスト発生ノズルと粗いミストを発生するミスト発生ノズルとが別々に必要である。このためにミスト発生ノズルの数が増えてコストが大幅にかかってしまうという問題があり、またノズル数が増えるためにミスト発生器の大きさが大きくなり、浴室に設置したとき邪魔になると共に意匠性も低下するという問題があった。
【０００７】
本発明は上記の点に鑑みてなされたものであり、ミスト発生器のコストを決定しているミスト発生ノズルの個数を減らすことによりミスト発生器のコストを低減でき、しかもコンパクトで意匠性のよいミスト発生器を得ることができるミスト発生ノズルを提供することを課題とするものである。
【０００８】
【課題を解決するための手段】
上記課題を解決するための本発明の請求項１のミスト発生ノズルは、噴霧することでミストを発生するミスト発生ノズルにおいて、粒径の細かいミストを発生する細ミスト発生部と粒径の粗いミストを発生する粗ミスト発生部とを１つのノズル本体に一体に設け、前記細ミスト発生部で発生する細ミストは上方向に、前記粗ミスト発生部で発生する粗ミストは下方向に噴霧するようにしたことを特徴とする。
【０００９】
このようなミスト発生ノズルとすることで、細ミスト発生部で発生する粒径の細かいミストは人体に直接当たりやすい上方向へ、粗ミスト発生部で発生する粒径の粗いミストは下方向に噴霧させるのが一つの１つのノズル部品で実現できる。これにより高価なノズル部品がミストの噴霧粗さの種類によって複数必要でなくなる。そのためこのミスト発生ノズルを用いるミスト発生器のコストアップを防ぐことができる。またミスト発生器に取り付けるミスト発生ノズルの個数も少なくて済むため、ミスト発生器の本体サイズをコンパクトにすることができ、意匠性も向上できる。特に、家庭用の浴室など設置スペースに制限がある場合、省スペース化により設置性、施工性の向上を図ることができる。
【００１０】
また本発明の請求項２のミスト発生ノズルは、請求項１において、前記細ミスト発生部で発生する細ミストの発生量が前記粗ミスト発生部で発生する粗ミストの発生量より多くなるように設定したことを特徴とする。
【００１１】
細かい粒径のミストを発生する細ミスト発生部は粗い粒径のミストを発生する粗ミスト発生部より圧力損失が大きいために噴霧されにくい。しかも粗ミスト発生部に流量が奪われるために細ミスト発生部への流量が少なくなって粒径の小さいミストの発生量が少なくなる。そのために上記のように粗い粒径のミストは噴霧量を絞るように、逆に細かい粒径のミストはより多くミストが発生できるように噴霧量が多くなる構造とした。これにより、１つのミスト発生ノズルで過不足なく粒径の異なるミストが得られるため、十分な温熱感が得られる。
【００１２】
また本発明の請求項３のミスト発生ノズルは、請求項２において、前記細ミスト発生部のミストを噴霧する有効面積を前記粗ミスト発生部のミストを噴霧する有効面積より広くすることで細ミストの発生量が粗ミストの発生量より多くなるようにしたことを特徴とする。
【００１３】
たとえば、単位面積当たり発生するミストの流量が同じであると、細ミスト発生部の噴霧する有効面積を粗ミスト発生部の有効面積より広くすることで細ミストの発生量を粗ミスト発生量より多くでき、簡単な構造で細ミスト発生量を多くできる。
【００１４】
また本発明の請求項４のミスト発生ノズルは、請求項１乃至請求項３のいずれかにおいて、多数の微細孔を穿孔した噴霧板にて前記細ミスト発生部と前記粗ミスト発生部とを構成し、この噴霧板をノズル本体の上下に取り付けたことを特徴とする。
【００１５】
微細孔の径の異なる多種類の噴霧板を用意しておけばこれら適宜組み合わせ取り付けることで所望の粒径のミストを発生する細ミスト発生部と粗ミスト発生部を簡単に形成できる。
【００１６】
また本発明の請求項５のミスト発生ノズルは、請求項１乃至請求項４のいずれかにおいて、前記ノズル本体内の流路を上下に分岐し、上に分岐した分岐流路を細ミスト発生部に連通させると共に下に分岐した分岐流路を粗ミスト発生部に連通させたことを特徴とする。
【００１７】
ノズル本体内に細ミスト発生部や粗ミスト発生部に向けて水の流れに方向づけした部分が形成され、細ミスト発生部や粗ミスト発生部からより所定の方向にミストを噴霧できる。
【００１８】
【発明の実施の形態】
先ず、図１や図２に示す例から述べる。ミスト発生ノズルＡは１つのノズル本体１に粒径の細かいミストを発生する細ミスト発生部２と粒径の粗いミストを発生する粗ミスト発生部３とを一体に設けて形成されている。ノズル本体１は円柱状であり、外周に取り付け用の雄ねじ部４を形成してあり、ノズル本体１の先端側に円盤状のフランジ５を一体に設けてある。このノズル本体１の先端面には上に細ミスト発生部２が位置し、下に粗ミスト発生部３が位置するように細ミスト発生部２と粗ミスト発生部３とが設けられている。
【００１９】
本例の場合、細ミスト発生部２及び粗ミスト発生部３が半円盤状の噴霧板６にて形成されており、噴霧板６がノズル本体１の先端面に取り付けてある。噴霧板６は微細孔を多数穿孔して形成されており、図に示すような半円状の有孔エリア７に微細孔が穿孔されている。ノズル本体１に噴霧板６を取り付けて細ミスト発生部２や粗ミスト発生部３を形成するとき、接着したり、かしめたりして取り付けてある。細ミスト発生部２を形成する噴霧板６では微細孔が斜め上方を向くように穿孔してあり、粗ミスト発生部３を形成する噴霧板６では微細孔が斜め下方を向くように穿孔してある。ノズル本体１には基端から先端までに至るように給水用の流路８を穿孔してあるが、この流路８はノズル本体１の先端側で上下に分岐した分岐流路８ａ，８ｂを設けてある。分岐流路８ａは斜め上方を向いており、分岐流路８ａが細ミスト発生部２に連通している。分岐流路８ｂは斜め下方を向いており、分岐流路８ｂが粗ミスト発生部３に連通している。
【００２０】
上記のようにミスト発生ノズルＡが形成されており、流路８に温水が供給されると、２つの分岐流路８ａ，８ｂに分岐されて水が流れ、各分岐管路８ａ，８ｂから細ミスト発生部２や粗ミスト発生部３に流れ、細ミスト発生部２で細ミストが図１や図２の矢印αに示すように斜め上方に向けて噴霧され、粗ミスト発生部２で粗ミストが矢印βに示すように斜め下方に向けて噴霧される。このとき分岐管路８ａ，８ｂにて分岐することで温水の流れを方向付けして細ミスト発生部２や粗ミスト発生部３に送るために細ミスト発生部２や粗ミスト発生部３から一層所定の方向に噴霧される。上記細ミスト発生部２で発生する細ミストは５０〜１００μｍ程度の粒径であり、粗ミストは１００μｍ以上の粒径であるが、双方で１００μｍ以上の差異を設けると性能も体感もよくなる。
【００２１】
また上記例ではノズル本体１の先端面に噴霧板６を取り付けることで細ミスト発生部２と粗ミスト発生部３を形成しているために微細孔の大きさの異なる噴霧板６を多数の種類用意しておけば、これら適宜組み合わせ取り付けることで所望の粒径のミストを発生する細ミスト発生部２と粗ミスト発生部３を簡単に形成できる。
【００２２】
次に図３に示す例について述べる。ノズル本体１は円柱状であり、外周に取り付け用の雄ねじ部４を形成してあり、ノズル本体１の先端側に矩形盤状のフランジ５を一体に設けてある。本例の場合も、ノズル本体１の先端面に噴霧板６を取り付けることで上下に細ミスト発生部２と粗ミスト発生部３を形成してあるのであるが、本例の場合、矩形状の噴霧板６を取り付けてある。半円形状の噴霧板６を形成するより矩形板状の噴霧板６を形成する方が部品の加工がしやすく加工性を上げることができ、複合部品を組む上で精度向上と生産性の向上を図ることができる。
【００２３】
次に図４に示す例について述べる。本例の場合、細ミスト発生部２で発生する細ミストの発生量が粗ミスト発生部３で発生する粗ミストの発生量より多くなるように設定してある。具体的には例えば、細ミスト発生部２のミストを噴霧する有効面積より前記粗ミスト発生部３のミストを噴霧する有効面積より広くすることで細ミストの発生量が粗ミストの発生量より多くなるようにしてある。つまり、細ミスト発生部２を形成する噴霧板６の有孔エリア７が粗ミスト発生部３を形成する噴霧板６の有孔エリア７より広くしてある。これにより、たとえば、単位面積当たり発生するミストの流量が同じであると、細ミスト発生部２の噴霧する有効面積を粗ミスト発生部３の有効面積より広くすることで細ミストの発生量を粗ミスト発生量より多くできる。
【００２４】
一般的に細かい粒径のミストを発生する細ミスト発生部２は粗い粒径のミストを発生する粗ミスト発生部３より圧力損失が大きいために噴霧されにくい。しかも粗ミスト発生部３に流量が奪われるために細ミスト発生部２への流量が少なくなって粒径の小さいミストの発生量が少なくなる。そのために上記のように粗い粒径のミストは噴霧量を絞るように、逆に細かい粒径のミストはより多くミストが発生できるように噴霧量が多くなる構造とすると、１つのミスト発生ノズルＡで過不足なく粒径の異なるミストが得られるため、十分な温熱感が得られる。
【００２５】
また上記のように細ミスト発生部２の有孔エリア７と粗ミスト発生部２の有孔エリア７の面積を変えて細ミスト発生部２のミストの流量を多くした場合、簡単な構造で細ミスト発生量を多くできる。また有孔エリア７の面積を変えた噴霧板６を多数用意しておけば、噴霧板６の組み合わせを変えることで種々の流量に対応できる。
【００２６】
また図５に上記ミスト発生ノズルＡを搭載したミスト発生器Ｂを示す。この図に示すものは一般家庭でミストサウナを簡易に楽しむためにミストを噴霧する装置である。ミスト発生器Ｂには給湯器１０を接続してあり、給湯器１０からミスト発生器Ｂに給湯できるようになっている。ミスト発生器Ｂには上記ミスト発生ノズルＡを雄ねじ部４の螺合にて取り付けてあり、細ミスト発生部２が上に位置し且つ粗ミスト発生部３が下に位置するように取り付けてある。そして給湯器１０から供給される水圧にてミスト発生ノズルＡからミストを噴霧することができ、ミストの噴霧にてサウナ雰囲気を作り出すようになっている。通常、このミスト発生器Ｂは風呂に設置し、給湯栓やシャワー栓を分岐するなどしてミスト発生器Ｂに温水を供給できる。
【００２７】
このミスト発生器Ｂでは１つのミスト発生ノズルＡの細ミスト発生部２から上方に粒径の小さい細ミストを噴霧できると共に粗ミスト発生部３から下方に粒径の大きい粗ミストを噴霧できる。従って、本発明ではミスト発生器Ｂに設けるミスト発生ノズルＡの本数は従来の半分にでき、しかもミスト発生器Ｂの本体サイズのコンパクト化が可能である。また浴室などの設置スペースを制限される場所に設置されるものでは、コンパクトに作製することが商品の設置性を向上させる必須要件となるが、その意味でも本発明のミスト発生ノズルＡは効果的である。
【００２８】
【発明の効果】
本発明の請求項１の発明は、噴霧することでミストを発生するミスト発生ノズルにおいて、粒径の細かいミストを発生する細ミスト発生部と粒径の粗いミストを発生する粗ミスト発生部とを１つのノズル本体に一体に設け、前記細ミスト発生部で発生する細ミストは上方向に、前記粗ミスト発生部で発生する粗ミストは下方向に噴霧するようにしたので、細ミスト発生部で発生する粒径の細かいミストは人体に直接当たりやすい上方向へ、粗ミスト発生部で発生する粒径の粗いミストは下方向に噴霧させるのが一つの１つのノズル部品で実現できるものであって、これにより高価なノズル部品がミストの噴霧粗さの種類によって複数必要でなくなり、このミスト発生ノズルを用いるミスト発生器のコストアップを防ぐことができるものであり、しかもミスト発生器に取り付けるミスト発生ノズルの個数も少なくて済むため、ミスト発生器の本体サイズをコンパクトにすることができ、また意匠性も向上できるものである。
【００２９】
また本発明の請求項２の発明は、請求項１において、細ミスト発生部で発生する細ミストの発生量が粗ミスト発生部で発生する粗ミストの発生量より多くなるように設定したので、粗い粒径のミストは噴霧量を絞るように、逆に細かい粒径のミストはより多くミストが発生できるように噴霧量が多くなる構造となり、１つのミスト発生ノズルで過不足なく粒径の異なるミストが得られるため、十分な温熱感が得られるものである。
【００３０】
また本発明の請求項３の発明は、請求項２において、細ミスト発生部のミストを噴霧する有効面積を前記粗ミスト発生部のミストを噴霧する有効面積より広くすることで細ミストの発生量が粗ミストの発生量より多くなるようにしたので、たとえば、単位面積当たり発生するミストの流量が同じであると、細ミスト発生部の噴霧する有効面積を粗ミスト発生部の有効面積より広くすることで細ミストの発生量を粗ミスト発生量より多くでき、簡単な構造で細ミスト発生量を多くできるものである。
【００３１】
また本発明の請求項４の発明は、請求項１乃至請求項３のいずれかにおいて、多数の微細孔を穿孔した噴霧板にて前記細ミスト発生部と前記粗ミスト発生部とを構成し、この噴霧板をノズル本体の上下に取り付けたので、微細孔の径の異なる多種類の噴霧板を用意しておけばこれら適宜組み合わせ取り付けることで所望の粒径のミストを発生する細ミスト発生部と粗ミスト発生部を簡単に形成できるものである。
【００３２】
また本発明の請求項５の発明は、請求項１乃至請求項４のいずれかにおいて、前記ノズル本体内の流路を上下に分岐し、上に分岐した分岐流路を細ミスト発生部に連通させると共に下に分岐した分岐流路を粗ミスト発生部に連通させたので、  ノズル本体内に細ミスト発生部や粗ミスト発生部に向けて水の流れに方向づけした部分が形成され、細ミスト発生部や粗ミスト発生部からより所定の方向にミストを噴霧できるものである。
【図面の簡単な説明】
【図１】本発明の実施の形態の一例のミスト発生ノズルを示し、（ａ）は正面図、（ｂ）は側面図である。
【図２】同上の側面から見た断面図である。
【図３】同上の他の例のミスト発生ノズルを示し、（ａ）は正面図、（ｂ）は側面図、（ｃ）は背面図である。
【図４】同上の他の例のミスト発生ノズルを示す正面図である。
【図５】同上のミスト発生器と給湯器とを示す説明図である。
【符号の説明】
Ａ  ミスト発生ノズル
１  ノズル本体
２  細ミスト発生部
３  粗ミスト発生部
４  雄ねじ部
５  フランジ
６  噴霧板
８  流路
８ａ  分岐流路
８ｂ  分岐流路
【図１】
2004267873.tif 000003
【図２】
2004267873.tif 000004
【図３】
2004267873.tif 000005
【図４】
2004267873.tif 000006
【図５】
2004267873.tif 000007